(57)【特許請求の範囲】
【請求項１】
プリペイドカードのプリペイドＩＤと、利用者のメールアドレスと、プリペイド残高とを有するプリペイドカード情報を記憶し、生成時に採番される配達ＩＤと、前記プリペイドＩＤと、配達先識別情報と、商品の購入先識別情報と、配達日とを有する配達情報を記憶する、記憶部を有する管理装置と、複数の商品の配達先に設置された複数台の端末とがプリペイドカードに関する情報をやり取りするプリペイドカード決済システムにおいて、
前記端末は、
利用者に販売したプリペイドカードのプリペイドＩＤと、該利用者のメールアドレスと、プリペイド残高とを含むプリペイド販売通知を前記管理装置に送信し、
プリペイドＩＤと、配達先識別情報と、商品の購入先識別情報と、配達日とを有する配達先からの商品受取通知を前記管理装置に送信し、
プリペイドＩＤを含む商品受渡し通知を前記管理装置に送信し、
受信した共通のプリペイドＩＤを有する前記配達情報から指定された配達ＩＤを含む決済依頼通知を送信する送信部、を有し、
前記管理装置は、
受信した、プリペイドＩＤと、購入者のメールアドレスと、プリペイド残高とを設定したプリペイドカード情報を生成するプリペイドカード情報生成部と、
受信した、プリペイドＩＤと、配達先識別情報と、商品の購入先識別情報と、配達日とを設定した配達情報を生成する配達情報生成部と、
受信したプリペイドＩＤをキーとして、前記記憶部のプリペイドカード情報を検索し、見つけたプリペイドＩＤに対応するメールアドレスを送信先として、商品が届いたことを通知するメールを作成し送信する利用者通知部と、
受信したプリペイドＩＤをキーとして、前記記憶部の配達情報を検索し、見つけた、プリペイドＩＤを有する配達情報を送信元の端末に通知する配達情報提供部と、
受信した配達ＩＤをキーとして、前記記憶部の配達情報を検索し、見つけた配達ＩＤに対応する配達日を起点として現在までの日数を算出し、算出された日数を基に商品の保管料を算出する保管料算出部と、
前記見つけた配達ＩＤに対応するプリペイドＩＤをキーとして、前記記憶部のプリペイドカード情報を検索し、見つけたプリペイドＩＤに対応するプリペイド残高を、算出された保管料だけ減額する保管料分減額部と、
算出された保管料を前記配達先の振込先に振り込み、決済完了通知を前記端末に通知する保管料受渡し部と、を有することを特徴とするプリペイドカード決済システム。
【請求項２】
プリペイドカードのプリペイドＩＤと、利用者のメールアドレスと、プリペイド残高とを有するプリペイドカード情報を記憶し、生成時に採番される配達ＩＤと、前記プリペイドＩＤと、配達先識別情報と、商品の購入先識別情報と、配達日とを有する配達情報を記憶する、記憶部を有する管理装置と、複数の商品の配達先に設置された複数台の端末とがプリペイドカードに関する情報をやり取りするプリペイドカード決済方法において、
前記端末が、利用者に販売したプリペイドカードのプリペイドＩＤと、該利用者のメールアドレスと、プリペイド残高とを含むプリペイド販売通知を前記管理装置に送信するステップと、
前記管理装置が、受信した、プリペイドＩＤと、購入者のメールアドレスと、プリペイド残高とを設定したプリペイドカード情報を生成するプリペイドカード情報生成ステップと、
前記端末が、プリペイドＩＤと、配達先識別情報と、商品の購入先識別情報と、配達日とを有する配達先からの商品受取通知を前記管理装置に送信するステップと、
前記管理装置が、受信した、プリペイドＩＤと、配達先識別情報と、商品の購入先識別情報と、配達日とを設定した配達情報を生成する配達情報生成ステップと、
前記管理装置が、受信したプリペイドＩＤをキーとして、前記記憶部のプリペイドカー
ド情報を検索し、見つけたプリペイドＩＤに対応するメールアドレスを送信先として、商品が届いたことを通知するメールを作成し送信する利用者通知部と、
前記端末が、プリペイドＩＤを含む商品受渡し通知を前記管理装置に送信するステップと、
前記管理装置が、受信したプリペイドＩＤをキーとして、前記記憶部の配達情報を検索し、見つけた、プリペイドＩＤを有する配達情報を送信元の端末に通知する配達情報提供ステップと、
前記端末が、受信した共通のプリペイドＩＤを有する前記配達情報から指定された配達ＩＤを含む決済依頼通知を送信するステップと、
前記管理装置が、受信した配達ＩＤをキーとして、前記記憶部の配達情報を検索し、見つけた配達ＩＤに対応する配達日を起点として現在までの日数を算出し、算出された日数を基に商品の保管料を算出する保管料算出ステップと、
前記管理装置が、前記見つけた配達ＩＤに対応するプリペイドＩＤをキーとして、前記記憶部のプリペイドカード情報を検索し、見つけたプリペイドＩＤに対応するプリペイド残高を、算出された保管料だけ減額する保管料分減額ステップと、
前記管理装置が、算出された保管料を前記配達先の振込先に振り込み、決済完了通知を前記端末に通知する保管料受渡しステップと、を有することを特徴とするプリペイドカード決済方法。
【請求項３】
プリペイドカードのプリペイドＩＤと、利用者のメールアドレスと、プリペイド残高とを有するプリペイドカード情報を記憶し、生成時に採番される配達ＩＤと、前記プリペイドＩＤと、配達先識別情報と、商品の購入先識別情報と、配達日とを有する配達情報を記憶する、記憶部を有する管理装置において、
商品の配達先に設置された端末から受信した、プリペイドＩＤと、配達先識別情報と、商品の購入先識別情報と、配達日とを設定した配達情報を生成する配達情報生成部と、
前記端末から受信したプリペイドＩＤをキーとして、前記記憶部のプリペイドカード情報を検索し、見つけたプリペイドＩＤに対応するメールアドレスを送信先として、商品が届いたことを通知するメールを作成し送信する利用者通知部と、
前記端末から受信したプリペイドＩＤをキーとして、前記記憶部の配達情報を検索し、見つけた、プリペイドＩＤを有する配達情報を送信元の端末に通知する配達情報提供部と、
前記端末から受信した配達ＩＤをキーとして、前記記憶部の配達情報を検索し、見つけた配達ＩＤに対応する配達日を起点として現在までの日数を算出し、算出された日数を基に商品の保管料を算出する保管料算出部と、
前記見つけた配達ＩＤに対応するプリペイドＩＤをキーとして、前記記憶部のプリペイドカード情報を検索し、見つけたプリペイドＩＤに対応するプリペイド残高を、算出された保管料だけ減額する保管料分減額部と、を有することを特徴とする管理装置。
【請求項４】
前記端末から受信した、プリペイドＩＤと、購入者のメールアドレスと、プリペイド残高とを設定したプリペイドカード情報を生成するプリペイドカード情報生成部、をさらに有することを特徴とする請求項３記載の管理装置。
【請求項５】
プリペイドカードのプリペイドＩＤと、利用者のメールアドレスと、プリペイド残高とを有するプリペイドカード情報を記憶し、生成時に採番される配達ＩＤと、前記プリペイドＩＤと、配達先識別情報と、商品の購入先識別情報と、配達日とを有する配達情報を記憶する、記憶部を有するコンピュータを、
商品の配達先に設置された端末から受信した、プリペイドＩＤと、配達先識別情報と、商品の購入先識別情報と、配達日とを設定した配達情報を生成する配達情報生成部、
前記端末から受信したプリペイドＩＤをキーとして、前記記憶部のプリペイドカード情報を検索し、見つけたプリペイドＩＤに対応するメールアドレスを送信先として、商品が
届いたことを通知するメールを作成し送信する利用者通知部、
前記端末から受信したプリペイドＩＤをキーとして、前記記憶部の配達情報を検索し、見つけた、プリペイドＩＤを有する配達情報を送信元の端末に通知する配達情報提供部、
前記端末から受信した配達ＩＤをキーとして、前記記憶部の配達情報を検索し、見つけた配達ＩＤに対応する配達日を起点として現在までの日数を算出し、算出された日数を基に商品の保管料を算出する保管料算出部、
前記見つけた配達ＩＤに対応するプリペイドＩＤをキーとして、前記記憶部のプリペイドカード情報を検索し、見つけたプリペイドＩＤに対応するプリペイド残高を、算出された保管料だけ減額する保管料分減額部、
として機能させるための管理プログラム。
【発明の詳細な説明】
【技術分野】
【０００１】
本発明は、ショッピングサイトで商品を購入した場合に、その商品を常時受け取ることを可能としたプリペイドカード決済方法に関する。
【背景技術】
【０００２】
一人で暮らしているような場合、家を留守にしていることが多く、宅配便、書留郵便などを在宅時に受け取ることが難しい。
すなわち、現在行われている配達方法として時間指定配達は、配達の時間帯は指定できるが、その時間の幅が３時間ほどあり、その間、家で待機しなければならず不便である。また、配達時に不在の場合は、配達不在票がポストに入っているが、その配達不在票に記載の連絡先に電話して、後で配達してもらうことになり、時間指定配達同様の不便さがある。また、着払いの場合、第三者に立て替えてもらうことができないため、本人が受け取り時に立ち会う必要があり、不便である。
【０００３】
一方、駅中のスポットやコンビニエンスストアなどでの商品（荷物）の受け取りを可能としたショッピングサイトがある。これは、そのサイト自体が、例えばコンビニエンスストアでの受け取りを可能とするようにシステム上構築されているために可能なことであり、コンビニエンスストアでの受け取りに対応していないショッピングサイトについては、コンビニエンスストアでの商品の受け取りはできない。
【０００４】
また、コンビニエンスストアで商品を受け取る場合についても、現状では、コンビニエンスストアにいつまでも商品を受け取りにこないために、コンビニエンスストア側に在庫リスクが発生するという問題がある。
【０００５】
なお、特許文献１には、消費者が電子店舗で商品を注文する場合において、酒店、米穀商、コンビニエンスストア、等の宅配取次店を商品の配達先に指定した販売商品の引渡し方法が示されている。
【特許文献１】特開２００１−１５５０７６号公報
【発明の開示】
【発明が解決しようとする課題】
【０００６】
本発明は、ショッピングサイトで商品を購入した場合に、その商品を常時受け取ることを可能としたプリペイドカード決済システム、プリペイドカード決済方法、管理装置および管理プログラムを提供することを目的とする。
【課題を解決するための手段】
【０００７】
提案するプリペイドカード決済システムでは、プリペイドカードのプリペイドＩＤと、利用者のメールアドレスと、プリペイド残高とを有するプリペイドカード情報を記憶し、生成時に採番される配達ＩＤと、前記プリペイドＩＤと、配達先識別情報と、商品の購入先識別情報と、配達日とを有する配達情報を記憶する、記憶部を有する管理装置と、複数の商品の配達先に設置された複数台の端末とがプリペイドカードに関する情報をやり取りする。
【０００８】
ここで、商品の配達先とは、例えば２４時間営業しているコンビニエンスストアの店舗である。この店舗に設置された端末から、利用者に販売したプリペイドカードのプリペイドＩＤと、該利用者のメールアドレスと、プリペイド残高とを含むプリペイド販売通知が
前記管理装置に送信された場合、その通知を受けた管理装置は、受信した、プリペイドＩＤと、購入者のメールアドレスと、プリペイド残高とを設定したプリペイドカード情報を生成する。
【０００９】
また、前記端末から、プリペイドＩＤと、配達先識別情報と、商品の購入先識別情報と、配達日とを有する配達先からの商品受取通知が前記管理装置に送信された場合、その通知を受けた管理装置は、受信した、プリペイドＩＤと、配達先識別情報と、商品の購入先識別情報と、配達日とを設定した配達情報を生成する。
【００１０】
そして、管理装置は、受信したプリペイドＩＤをキーとして、前記記憶部のプリペイドカード情報を検索し、見つけたプリペイドＩＤに対応するメールアドレスを送信先として、商品が届いたことを通知するメールを作成し送信する。
【００１１】
また、前記端末から、プリペイドＩＤを含む商品受渡し通知を前記管理装置に送信された場合、その通知を受けた管理装置は、受信したプリペイドＩＤをキーとして、前記記憶部の配達情報を検索し、見つけた、プリペイドＩＤを有する配達情報を送信元の端末に通知する。
【００１２】
この通知された配達情報（の一覧）から指定された決済対象の配達ＩＤを前記端末から受信した管理装置は、受信した配達ＩＤをキーとして、前記記憶部の配達情報を検索し、見つけた配達ＩＤに対応する配達日を起点として現在までの日数を算出し、算出された日数を基に商品の保管料を算出する。
【００１３】
また、管理装置は、前記見つけた配達ＩＤに対応するプリペイドＩＤをキーとして、前記記憶部のプリペイドカード情報を検索し、見つけたプリペイドＩＤに対応するプリペイド残高を、算出された保管料だけ減額する。
そして、管理装置は、算出された保管料を前記配達先に受け渡す。
【発明の効果】
【００１４】
例えば、常時営業しているコンビニエンスストアの店舗を配達先として、端末を設ければ、宅配業者は、商品（荷物）の在庫リスクを、一人暮らしの個人（利用者）に配達する場合と比較してなくすことができる。また、コンビニエンスストアも予め利用者にプリペイドカードを購入してもらっているので、利用者に早めに取りに行かねばならないという気持ちを喚起させ、荷物の在庫リスクを減らすことができる。さらに、利用者も、一人暮らしであっても購入した商品を常時受け取ることができる。
【発明を実施するための最良の形態】
【００１５】
以下図面に基づいて、本発明の実施形態について詳細を説明する。
図１は、本発明の一実施形態に係るプリペイドカード決済システムの概要構成を示すブロック図である。
【００１６】
図１に示すように、プリペイドカード決済システムは、利用者１（この利用者１がショッピングサイト２上でのショッピングを行なうのに使用するパーソナルコンピュータ（以下「利用者ＰＣ」という）を含む）と、ショッピングサイト２の商品を扱う宅配業者３と、商品の届け先としてのコンビニエンスストア４と、プリペイドカード等の情報を管理するプリペイド管理センタ５と、によって構成される。
【００１７】
図１において、商品（荷物）の流れとしては、ショッピングサイト２→宅配業者３→コンビニエンスストア４→利用者１となり、お金の流れとしては、利用者１が荷物受け取り
プリペイドカード（以下、「プリペイドカード」という）をコンビニエンスストア４において購入したときに、利用者１からコンビニエンスストア４に対し、プリペイドカードの代金が支払われる。このプリペイドカードの購入代金は、コンビニエンスストア４からプリペイド管理センタ５に支払われる。そして、コンビニエンスストア４において、荷物受け取り時に、利用者１のプリペイドカードから荷物の保管料が決済されることで、プリペイド管理センタ５からコンビニエンスストア４にその保管料が支払われる。
【００１８】
なお、実際には、以下に説明するように、複数のコンビニエンスストアに設置される複数台の端末（不図示）と、プリペイド管理センタ５に設置される管理装置（不図示）とがプリペイドカード情報等をやり取りする。
【００１９】
図２は、本実施形態の全体処理のフローチャートである。
図２において、事前に、利用者は、（１）で、宅配便コンビニ受け取りを契約している提携のコンビニエンスストアにおいて、プリペイドカードを購入する。
【００２０】
このプリペイドカードにより、利用者（購入者）は以下のサービスを受けることができる。
・コンビニエンスストアでの宅配便荷物の保管
・着払い荷物の代金支払い
なお、プリペイドカード購入時に、プリペイドカードの識別情報であるプリペイドＩＤ、氏名、住所、メールアドレス、電話番号、プリペイド残高、から構成されるプリペイド販売通知が、コンビニエンスストア設置の端末からプリペイド管理センタ５の管理装置になされる。この通知を受けた管理装置は、この通知の各項目を含むプリペイドカード情報の１レコードを生成して、プリペイド管理センタ５に設置されるデータベースに登録する。プリペイドカード情報のデータ構造を図３に示す。
【００２１】
後日、利用者は、例えば自宅から利用者ＰＣにより、ショッピングサイトから商品（荷物）を購入する。そして、ショッピングサイトにおける荷物の発送指定時に、（２）で、備考欄に、コンビニエンスストアで受け取る旨と、プリペイドＩＤとを指定し、ショッピングサイトへの通知を行なう。
【００２２】
この通知を受けたショッピングサイトは、（３）で、宅配業者に荷物の配達依頼を行なう。このとき、その依頼の中で、配達先（コンビニエンスストア）に配達時にプリペイドＩＤを通知する旨を言う。
【００２３】
この依頼に基づいて、宅配業者は、（４）で、コンビニエンスストアに荷物を配達し、プリペイドＩＤをコンビニエンスストアの店員に通知する。この通知を受けて、コンビニエンスストアの店員は、（５）で、そのコンビニエンスストアの端末からプリペイド管理センタ５の管理装置に対して、プリペイドＩＤの照会を行なう。
【００２４】
管理装置で行われる照会結果として、そのプリペイドＩＤを含む行が図３のプリペイドカード情報中に見つかった場合、プリペイドＩＤが有効であることが確認され、（６）で、「問題なし」という照会結果が管理装置から端末に返答される。
【００２５】
この場合、少なくとも、コンビニエンスストアにおいて、その荷物を受け取る。また、代引きの場合、荷物の受取時に、コンビニエンスストアが宅配業者にその代金を（７）で支払う。そして、コンビニエンスストアの端末からプリペイド管理センタ５の管理装置に対して、（８）で、荷物の受領連絡（荷物受取通知）を行なう。なお、代引きの場合、宅配業者に支払った代金が、（８）の荷物受取通知に含まれる。
【００２６】
この通知を受けた管理装置は、通知されたプリペイドＩＤをキーとして、図３のプリペイドカード情報を検索し、見つかったプリペイドＩＤに対応する「残高」の項目に設定される金額を、通知された金額だけ減額する。また、（９）で、見つかったプリペイドＩＤに対応する「メールアドレス」の項目に設定されるメールアドレスを送信先として、コンビニエンスストアに荷物が到着しプリペイド決済した旨と、現在のプリペイド残高から算出された保管可能な日数とを含むメッセージを作成して利用者ＰＣあてに送信する。
【００２７】
なお、（８）で、荷物受取通知を受けた管理装置は、レコード（行）作成時に採番するユニークなＩＤである配達ＩＤ、プリペイドＩＤ、配達先のコンビニエンスストア、ショッピングサイト名、「配達完了（保管中）」または「受渡し完了」の値を持つステータス、決済が済んだかどうかのフラグ情報である決済、配達日、商品（荷物）のサイズに関する情報である商品サイズ、から構成される配達情報を生成し、プリペイド管理センタ５に設置されるデータベースに登録する。配達情報のデータ構造を図４に示す。なお、レコード作成時点では、ステータスの値は、「配達完了」である。また、規定となる空箱を置いておき、その箱に収まる荷物を「小」、収まらない荷物を「大」とする方法により、本実施形態では商品サイズを決めているが、それ以外の方法でもよい。
【００２８】
後日、利用者は、プリペイドカードを持参して、（１０）で、そのコンビニエンスストアに荷物を受け取りに行く。
コンビニエンスストアの店員は、（１１）で、利用者のプリペイドＩＤを含む荷物引渡しの旨（荷物決済依頼通知）を端末からプリペイド管理センタ５の管理装置に対して行なう。
【００２９】
この荷物決済依頼通知を受けた管理装置では、利用者の配達情報中の配達日を起点として荷物の保管日数を算出し、その算出された保管日数と商品サイズとに基づいて保管料を算出し、その算出された保管料を、利用者のプリペイドカード情報中の残高の値から減額する。そして、その算出された保管料を予め定められた振込先に振り込み、そのコンビニエンスストアの端末に（１２）で決済完了通知を行なう。
【００３０】
そして、コンビニエンスストアから利用者に（１３）で商品（荷物）が受け渡され、一連の処理を終了する。
なお、以上の図２の説明では、利用者はプリペイドカードのみを購入していた。しかし、プリペイドカード購入時に、プリペイドの残高とは別に保証金を預けるようにし、事前に、利用者に、保管可能な期間を通知し、その保管可能な期間を経過しても、利用者が荷物を引き取りにこない場合は、保証金から精算を行い、荷物を処分してもよい。
【００３１】
プリペイドの残高のみの場合も、利用者に早めに取りに行かねばならないという気持ちを喚起させ、コンビニエンスストアの荷物の在庫リスクを減らすことができるが、このようにすれば、プリペイドの残高のみの場合と比較し、一層、コンビニエンスストアの荷物の在庫リスクを減らすことができる。
【００３２】
また、図２の説明において、（４）で、コンビニエンスストアに荷物が配達された時点で、その荷物が代引きで、利用者のプリペイド残高が代金より少ない場合、荷物を受け取らなくてもよいし、または、荷物の受け取り代金を立て替えてもよい。立て替える場合は、利用者が荷物の受け取り時にプリペイドカードを買い増すか、現金で支払う等する。
【００３３】
以上説明したように、本実施形態によれば、コンビニエンスストアを私書箱のように利用することで、宅配業者にとっては、２４時間営業しているコンビニエンスストアに商品（荷物）を届けることから、配達時に配達先が営業していないことによる在庫リスクを減らすことが可能となる。
【００３４】
また、コンビニエンスストアにとっては、預かっている荷物の保管日数、荷物サイズによる課金が可能となり、荷物の保管料を新たな収入源にできるとともに、予めプリペイドカード代金を利用者から徴収しているので、荷物の在庫リスクも減らすことができる。
【００３５】
なお、コンビニエンスストア以外の２４時間営業していない小売店を荷物の配達先として指定することも可能である。この場合、宅配業者にとっては、配達時に配達先が営業していないことによる在庫リスクを、２４時間営業のコンビニエンスストア程は減らせないが、一人暮らしの場合の利用者の自宅に配達する場合と比較して減らすことはできる。
【００３６】
図５は、商品受け渡し時の処理の詳細フローチャートである。
利用者は、プリペイドカードを持参して、コンビニエンスストアに荷物を受け取りに行き、プリペイドカードを、コンビニエンスストアの店員に（１）で提示する。その結果、提示されたプリペイドカードのプリペイドＩＤが、（２）で、コンビニエンスストアの端末に読み込まれ、プリペイド管理センタ５の管理装置に荷物受渡し通知として送信される。
【００３７】
この通知を受けた管理装置では、（３）で、プリペイドＩＤの有効性のチェックすなわちプリペイドＩＤを含むレコードが、図３のプリペイドカード情報中にあるかどうかを確認する。
【００３８】
その確認の結果、通知されたプリペイドＩＤが、図３のプリペイドカード情報中にあると判定された場合、（４）で、そのプリペイドＩＤを持つすべての、図４の配達情報のレコードが抽出され、荷物受渡し通知の送信元の端末に送信される。
【００３９】
配達情報を受信したコンビニエンスストアの端末では、（５）で、例えば、受信した複数の配達ＩＤを含む配達情報がＰＯＳ画面表示され、コンビニエンスストアの店員から、来店した利用者に、口頭で、このうち到着したのはどの荷物かという問い合わせがなされ、（６）で、利用者により、到着したものとしてメールで通知された荷物が今回受け取る荷物として選択され、その選択された荷物に対応する配達ＩＤが荷物決済依頼通知として、（７）で、コンビニエンスストアの端末から管理装置に通知される。
【００４０】
この荷物決済依頼通知を受けた管理装置は、（８）で、利用者の配達情報中の配達日を起点として荷物の保管日数を算出し、その算出された保管日数と商品サイズとに基づいて保管料を算出し、その算出された保管料を、利用者のプリペイドカード情報中の残高の値から減額する。そして、振込ＩＤ（＝配達先コンビニエンスストアＩＤ）と、配達先コンビニエンスストア名と、そのコンビニエンスストアの住所と、振込先口座番号とを有する、図６に示す振込先情報を、配達先コンビニエンスストア名をキーとして検索し、見つけた配達先コンビニエンスストア名に対応する振込先口座番号に、算出された保管料を振込み、（９）で、決済完了通知をコンビニエンスストアの端末に送信する。
【００４１】
この通知がコンビニエンスストアの端末に受信されると、店員は、（１０）で商品（荷物）を利用者に受け渡し、一連の処理が終了する。なお、図４の配達情報が、配達先コンビニエンスストアＩＤを有するようにし、この配達先コンビニエンスストアＩＤをキーとして、図６の振込先情報を検索してもよい。
【００４２】
図７は、プリペイド管理センタ内の管理装置の構成を示すブロック図である。
図７において、管理装置１１は、プリペイドカード情報レコード生成部１２、プリペイドＩＤ検索部１３、配達情報レコード生成部１４、着払い代金分減額部１５、利用者通知部１６、プリペイドＩＤ情報提供部２１、保管料算出部２２、保管料分減額部２３、保管
料受渡し部２４、によって構成される。
【００４３】
プリペイドカード情報レコード生成部１２は、商品の配達先のコンビニエンスストアに設置された端末から受信した、販売したプリペイドカードのプリペイドＩＤと、購入者（利用者）の氏名、住所、メールアドレス、電話番号、プリペイド残高、を設定したプリペイドカード情報のレコード（行）を生成する。
【００４４】
プリペイドＩＤ検索部１３は、端末から受信したプリペイドＩＤをキーとして、プリペイドカード情報を検索し、プリペイドカード情報中に、そのプリペイドＩＤを有するレコード（行）があるかどうかを判定し、判定結果を端末に返答する。
【００４５】
配達情報レコード生成部１４は、端末から荷物受取通知を受信することで起動する。その際、レコード（行）作成時に採番した配達ＩＤ、「配達完了」の値に初期化されたステータス、「未」の値に初期化された決済（フラグ）、端末から受信した荷物受取通知に値がそれぞれ設定された、プリペイドＩＤ、配達先のコンビニエンスストア、ショッピングサイト名、配達日、商品サイズ、から構成される配達情報のレコード（行）を生成する。
【００４６】
なお、その荷物が着払い（代引き）の場合、荷物受取通知に着払い代金が含まれる。
着払い代金分減額部１５は、荷物受取通知に着払い代金が含まれる場合に起動される。そして、荷物受取通知に含まれるプリペイドＩＤをキーとして、プリペイドカード情報を検索し、見つけたプリペイドＩＤに対応するプリペイド残高を、着払い代金分減額する。
【００４７】
利用者通知部１６は、荷物受取通知に含まれるプリペイドＩＤをキーとして、プリペイドカード情報を検索し、見つけたプリペイドＩＤに対応するメールアドレスを送信先として、商品が届いたことを通知するメールを作成し送信する。
【００４８】
プリペイドＩＤ情報提供部２１は、プリペイドＩＤを含む荷物受渡し通知をコンビニエンスストアの端末から受信した場合に起動される。そして、受信したプリペイドＩＤをキーとして、配達情報を検索し、見つけた、プリペイドＩＤを有する配達情報の全レコードを送信元の端末に通知する。
【００４９】
保管料算出部２２は、端末から受信した配達ＩＤをキーとして、配達情報を検索し、見つけた配達ＩＤに対応する配達日を起点として現在までの日数を算出し、算出された日数と、商品サイズとを基に商品の保管料を算出する。
【００５０】
保管料分減額部２３は、上記見つけた配達ＩＤに対応するプリペイドＩＤをキーとして、プリペイドカード情報を検索し、見つけたプリペイドＩＤに対応するプリペイド残高を、算出された保管料分減額する。
【００５１】
保管料受渡し部２４は、算出された保管料を配達先のコンビニエンスストアに受け渡す。すなわち、配達先のコンビニエンスストアの振込先に振り込み、決済完了通知を前記端末に通知する。
【００５２】
上記各部は、本実施形態ではソフトウェア（プログラム）として実現される。すなわち、上記各部は、管理装置１１がアクセス可能なＲＯＭ（Read Only Memory）、ハードディスクなどのメモリに記憶され、実行時に、そのメモリから、管理装置１１のＲＡＭ（Random Access Memory）に読み出され、ＣＰＵ（Central Processing Unit）によって実行される。
【００５３】
図８は、プリペイド管理センタの管理装置による処理のフローチャートである。
管理装置は、コンビニエンスストアの端末から、「プリペイド販売通知」、「荷物受取通知」、「荷物受渡し通知」、「荷物決済依頼通知」のいずれかの通知を受ける。
【００５４】
すなわち、図８のステップＳ１において、管理装置が、コンビニエンスストアの端末からプリペイド販売通知を受信したと判定された場合、ステップＳ２において、プリペイドカード情報レコード生成部１２によって、商品の配達先のコンビニエンスストアに設置された端末から受信した、販売したプリペイドカードのプリペイドＩＤと、購入者（利用者）の氏名、住所、メールアドレス、電話番号、プリペイド残高、を設定したプリペイドカード情報のレコード（行）が生成される。
【００５５】
また、図８のステップＳ３において、管理装置が、コンビニエンスストアの端末から荷物受取通知を受信したと判定された場合、ステップＳ４において、配達情報レコード生成部１４によって、採番した配達ＩＤ、「配達完了」の値に初期化されたステータス、「未」の値に初期化された決済（フラグ）、端末から受信した荷物受取通知に値がそれぞれ設定された、プリペイドＩＤ、配達先のコンビニエンスストア、ショッピングサイト名、配達日、商品サイズ、から構成される配達情報のレコード（行）が生成される。
【００５６】
そして、その荷物が着払い（代引き）の場合、ステップＳ５において、着払い代金分減額部１５によって、荷物受取通知に含まれるプリペイドＩＤをキーとして、プリペイドカード情報を検索し、見つけたプリペイドＩＤに対応するプリペイド残高が、着払い代金分減額される。
【００５７】
続く、ステップＳ６において、利用者通知部１６によって、荷物受取通知に含まれるプリペイドＩＤをキーとして、プリペイドカード情報を検索し、見つけたプリペイドＩＤに対応するメールアドレスを送信先として、商品が届いたことを通知するメールが作成され送信される。
【００５８】
また、図８のステップＳ７において、管理装置が、コンビニエンスストアの端末から荷物受渡し通知を受信したと判定された場合、ステップＳ８において、プリペイドＩＤ情報提供部２１によって、受信した荷物受渡し通知に含まれるプリペイドＩＤをキーとして、配達情報が検索され、見つけた、プリペイドＩＤを有する全ての配達情報中のレコードが送信元の端末に通知される。
【００５９】
また、図８のステップＳ９において、管理装置が、コンビニエンスストアの端末から荷物決済依頼通知を受信したと判定された場合、ステップＳ１０において、保管料算出部２２によって、受信した荷物決済依頼通知に含まれる配達ＩＤをキーとして、配達情報が検索され、見つけた配達ＩＤに対応する配達日を起点として現在までの日数が算出され、算出された日数と、商品サイズとを基に商品の保管料が算出される。また、保管料分減額部２３によって、上記見つけた配達ＩＤに対応するプリペイドＩＤをキーとして、プリペイドカード情報が検索され、見つけたプリペイドＩＤに対応するプリペイド残高が、算出された保管料分減額される。
【００６０】
そして、ステップＳ１１において、保管料受渡し部２４によって、算出された保管料が配達先のコンビニエンスストアの振込先に振り込まれ、決済完了通知が、そのコンビニエンスストアの端末に通知される。
【００６１】
図９は、記憶媒体例を示す図である。
本実施形態の処理のためのプログラムやデータは、コンピュータ５０の記憶装置５１からコンピュータ５０のメモリにロードして実行することも、可搬型記憶媒体５３からコンピュータ５０のメモリにロードして実行することも、また、外部記憶装置５４からネット
ワーク５５を介してコンピュータ５０のメモリにロードして実行することも可能である。
【００６２】
以上の本実施形態に関し、さらに以下の付記を開示する。
（付記１）  プリペイドカードのプリペイドＩＤと、利用者のメールアドレスと、プリペイド残高とを有するプリペイドカード情報を記憶し、生成時に採番される配達ＩＤと、前記プリペイドＩＤと、配達先識別情報と、商品の購入先識別情報と、配達日とを有する配達情報を記憶する、記憶部を有する管理装置と、複数の商品の配達先に設置された複数台の端末とがプリペイドカードに関する情報をやり取りするプリペイドカード決済システムにおいて、
前記端末は、
利用者に販売したプリペイドカードのプリペイドＩＤと、該利用者のメールアドレスと、プリペイド残高とを含むプリペイド販売通知を前記管理装置に送信し、
プリペイドＩＤと、配達先識別情報と、商品の購入先識別情報と、配達日とを有する配達先からの商品受取通知を前記管理装置に送信し、
プリペイドＩＤを含む商品受渡し通知を前記管理装置に送信し、
受信した共通のプリペイドＩＤを有する前記配達情報から指定された配達ＩＤを含む決済依頼通知を送信する送信部、を有し、
前記管理装置は、
受信した、プリペイドＩＤと、購入者のメールアドレスと、プリペイド残高とを設定したプリペイドカード情報を生成するプリペイドカード情報生成部と、
受信した、プリペイドＩＤと、配達先識別情報と、商品の購入先識別情報と、配達日とを設定した配達情報を生成する配達情報生成部と、
受信したプリペイドＩＤをキーとして、前記記憶部のプリペイドカード情報を検索し、見つけたプリペイドＩＤに対応するメールアドレスを送信先として、商品が届いたことを通知するメールを作成し送信する利用者通知部と、
受信したプリペイドＩＤをキーとして、前記記憶部の配達情報を検索し、見つけた、プリペイドＩＤを有する配達情報を送信元の端末に通知する配達情報提供部と、
受信した配達ＩＤをキーとして、前記記憶部の配達情報を検索し、見つけた配達ＩＤに対応する配達日を起点として現在までの日数を算出し、算出された日数を基に商品の保管料を算出する保管料算出部と、
前記見つけた配達ＩＤに対応するプリペイドＩＤをキーとして、前記記憶部のプリペイドカード情報を検索し、見つけたプリペイドＩＤに対応するプリペイド残高を、算出された保管料だけ減額する保管料分減額部と、
算出された保管料を前記配達先の振込先に振り込み、決済完了通知を前記端末に通知する保管料受渡し部と、を有することを特徴とするプリペイドカード決済システム。（１、図２）
（付記２）  前記配達情報は、商品のサイズを示す商品サイズをさらに有し、
前記保管料算出部は、配達日を起点とした現在までの日数の他に、商品サイズも加味して保管料の算出を行なうことを特徴とする付記１記載のプリペイドカード決済システム。（付記３）  着払いの場合、前記商品受取通知は、着払い代金をさらに含み、
前記管理装置は、
前記商品受取通知に含まれるプリペイドＩＤをキーとして、前記記憶部のプリペイドカード情報を検索し、見つけたプリペイドＩＤに対応するプリペイド残高を、着払い代金分減額する着払い代金分減額部をさらに有することを特徴とする付記１記載のプリペイドカード決済システム。
（付記４）  プリペイドカードのプリペイドＩＤと、利用者のメールアドレスと、プリペイド残高とを有するプリペイドカード情報を記憶し、生成時に採番される配達ＩＤと、前記プリペイドＩＤと、配達先識別情報と、商品の購入先識別情報と、配達日とを有する配達情報を記憶する、記憶部を有する管理装置と、複数の商品の配達先に設置された複数台の端末とがプリペイドカードに関する情報をやり取りするプリペイドカード決済方法にお
いて、
前記端末が、利用者に販売したプリペイドカードのプリペイドＩＤと、該利用者のメールアドレスと、プリペイド残高とを含むプリペイド販売通知を前記管理装置に送信するステップと、
前記管理装置が、受信した、プリペイドＩＤと、購入者のメールアドレスと、プリペイド残高とを設定したプリペイドカード情報を生成するプリペイドカード情報生成ステップと、
前記端末が、プリペイドＩＤと、配達先識別情報と、商品の購入先識別情報と、配達日とを有する配達先からの商品受取通知を前記管理装置に送信するステップと、
前記管理装置が、受信した、プリペイドＩＤと、配達先識別情報と、商品の購入先識別情報と、配達日とを設定した配達情報を生成する配達情報生成ステップと、
前記管理装置が、受信したプリペイドＩＤをキーとして、前記記憶部のプリペイドカード情報を検索し、見つけたプリペイドＩＤに対応するメールアドレスを送信先として、商品が届いたことを通知するメールを作成し送信する利用者通知部と、
前記端末が、プリペイドＩＤを含む商品受渡し通知を前記管理装置に送信するステップと、
前記管理装置が、受信したプリペイドＩＤをキーとして、前記記憶部の配達情報を検索し、見つけた、プリペイドＩＤを有する配達情報を送信元の端末に通知する配達情報提供ステップと、
前記端末が、受信した共通のプリペイドＩＤを有する前記配達情報から指定された配達ＩＤを含む決済依頼通知を送信するステップと、
前記管理装置が、受信した配達ＩＤをキーとして、前記記憶部の配達情報を検索し、見つけた配達ＩＤに対応する配達日を起点として現在までの日数を算出し、算出された日数を基に商品の保管料を算出する保管料算出ステップと、
前記管理装置が、前記見つけた配達ＩＤに対応するプリペイドＩＤをキーとして、前記記憶部のプリペイドカード情報を検索し、見つけたプリペイドＩＤに対応するプリペイド残高を、算出された保管料だけ減額する保管料分減額ステップと、
前記管理装置が、算出された保管料を前記配達先の振込先に振り込み、決済完了通知を前記端末に通知する保管料受渡しステップと、を有することを特徴とするプリペイドカード決済方法。（２、図２）
（付記５）  前記配達情報は、商品のサイズを示す商品サイズをさらに有し、
前記保管料算出ステップにおいて、配達日を起点とした現在までの日数の他に、商品サイズも加味して保管料の算出を行なうことを特徴とする付記４記載のプリペイドカード決済方法。
（付記６）  着払いの場合、前記商品受取通知は、着払い代金をさらに含み、
前記管理装置が、前記商品受取通知に含まれるプリペイドＩＤをキーとして、前記記憶部のプリペイドカード情報を検索し、見つけたプリペイドＩＤに対応するプリペイド残高を、着払い代金分減額する着払い代金分減額ステップをさらに有することを特徴とする付記４記載のプリペイドカード決済方法。
（付記７）  プリペイドカードのプリペイドＩＤと、利用者のメールアドレスと、プリペイド残高とを有するプリペイドカード情報を記憶し、生成時に採番される配達ＩＤと、前記プリペイドＩＤと、配達先識別情報と、商品の購入先識別情報と、配達日とを有する配達情報を記憶する、記憶部を有する管理装置において、
商品の配達先に設置された端末から受信した、プリペイドＩＤと、配達先識別情報と、商品の購入先識別情報と、配達日とを設定した配達情報を生成する配達情報生成部と、
前記端末から受信したプリペイドＩＤをキーとして、前記記憶部のプリペイドカード情報を検索し、見つけたプリペイドＩＤに対応するメールアドレスを送信先として、商品が届いたことを通知するメールを作成し送信する利用者通知部と、
前記端末から受信したプリペイドＩＤをキーとして、前記記憶部の配達情報を検索し、見つけた、プリペイドＩＤを有する配達情報を送信元の端末に通知する配達情報提供部と
、
前記端末から受信した配達ＩＤをキーとして、前記記憶部の配達情報を検索し、見つけた配達ＩＤに対応する配達日を起点として現在までの日数を算出し、算出された日数を基に商品の保管料を算出する保管料算出部と、
前記見つけた配達ＩＤに対応するプリペイドＩＤをキーとして、前記記憶部のプリペイドカード情報を検索し、見つけたプリペイドＩＤに対応するプリペイド残高を、算出された保管料だけ減額する保管料分減額部と、を有することを特徴とする管理装置。（３、図８）
（付記８）  前記端末から受信した、プリペイドＩＤと、購入者のメールアドレスと、プリペイド残高とを設定したプリペイドカード情報を生成するプリペイドカード情報生成部、をさらに有することを特徴とする付記７記載の管理装置。（４、図８のステップＳ２）（付記９）  算出された保管料を前記配達先の振込先に振り込み、決済完了通知を前記端末に通知する保管料受渡し部、をさらに有することを特徴とする付記７記載の管理装置。（図８のステップＳ１１）
（付記１０）  プリペイドカードのプリペイドＩＤと、利用者のメールアドレスと、プリペイド残高とを有するプリペイドカード情報を記憶し、生成時に採番される配達ＩＤと、前記プリペイドＩＤと、配達先識別情報と、商品の購入先識別情報と、配達日とを有する配達情報を記憶する、記憶部を有するコンピュータを、
商品の配達先に設置された端末から受信した、プリペイドＩＤと、配達先識別情報と、商品の購入先識別情報と、配達日とを設定した配達情報を生成する配達情報生成部、
前記端末から受信したプリペイドＩＤをキーとして、前記記憶部のプリペイドカード情報を検索し、見つけたプリペイドＩＤに対応するメールアドレスを送信先として、商品が届いたことを通知するメールを作成し送信する利用者通知部、
前記端末から受信したプリペイドＩＤをキーとして、前記記憶部の配達情報を検索し、見つけた、プリペイドＩＤを有する配達情報を送信元の端末に通知する配達情報提供部、
前記端末から受信した配達ＩＤをキーとして、前記記憶部の配達情報を検索し、見つけた配達ＩＤに対応する配達日を起点として現在までの日数を算出し、算出された日数を基に商品の保管料を算出する保管料算出部、
前記見つけた配達ＩＤに対応するプリペイドＩＤをキーとして、前記記憶部のプリペイドカード情報を検索し、見つけたプリペイドＩＤに対応するプリペイド残高を、算出された保管料だけ減額する保管料分減額部、
として機能させるための管理プログラム。（５、図８）
（付記１１）  前記端末から受信した、プリペイドＩＤと、購入者のメールアドレスと、プリペイド残高とを設定したプリペイドカード情報を生成するプリペイドカード情報生成部、としてさらに機能させるための付記１０記載の管理プログラム。（図８のステップＳ２）
（付記１２）  算出された保管料を前記配達先の振込先に振り込み、決済完了通知を前記端末に通知する保管料受渡し部、としてさらに機能させるための付記１０記載の管理プログラム。（図８のステップＳ１１）
【図面の簡単な説明】
【００６３】
【図１】本発明の一実施形態に係るプリペイドカード決済システムの概要構成を示すブロック図である。
【図２】本実施形態の全体処理のフローチャートである。
【図３】プリペイドカード情報のデータ構造を示す図である。
【図４】配達情報のデータ構造を示す図である。
【図５】商品受け渡し時の処理の詳細フローチャートである。
【図６】振込先情報のデータ構造を示す図である。
【図７】プリペイド管理センタ内の管理装置の構成を示すブロック図である。
【図８】プリペイド管理センタの管理装置による処理のフローチャートである。
【図９】記憶媒体例を示す図である。
【符号の説明】
【００６４】
１  利用者ＰＣ
２  ショッピングサイト
３  宅配業者
４  コンビニエンスストア
５  プリペイド管理センタ
１１  管理装置
１２  プリペイドカード情報レコード生成部
１３  プリペイドＩＤ検索部
１４  配達情報レコード生成部
１５  着払い代金分減額部
１６  利用者通知部
２１  プリペイドＩＤ情報提供部
２２  保管料算出部
２３  保管料分減額部
２４  保管料受渡し部
５０  コンピュータ
５１  記憶装置
５３  可搬型記憶媒体
５４  外部記憶装置
５５  ネットワーク
【図１】
0005113585.tif 000002
【図２】
0005113585.tif 000003
【図３】
0005113585.tif 000004
【図４】
0005113585.tif 000005
【図５】
0005113585.tif 000006
【図６】
0005113585.tif 000007
【図７】
0005113585.tif 000008
【図８】
0005113585.tif 000009
【図９】
0005113585.tif 000010